Podtech/llm-jp-corpus-v4-ja_patent huggingface dataset:
(57)【特許請求の範囲】
【請求項１】
男女兼用便器の楕円形内側縁において短径が最大となる部位を起点として立姿勢の男性小用者と対向する側の便器内側縁に沿って噴水孔４を設け、この噴水孔４により内側へのわずかな傾斜９と制御された高さを保つ噴水膜５をつくり、男性小便の飛沫を取り込み周囲に飛散することなく便器内に流し込む男女兼用便器。
【請求項２】
男女兼用便器の楕円形内側縁において短径が最大となる部位を起点として立姿勢の男性小用者と対向する側の便器内側縁に沿って噴水孔４を設け、この噴水孔４により内側へのわずかな傾斜９と制御された高さを保つ噴水膜５をつくり、噴水孔４のすぐ外周に噴水孔４を取り囲む形で設けた半楕円形の空気噴射孔７を設け、空気噴射孔７から噴出する空気によって床面に垂直で、且つ噴水膜５を取り巻く空気噴射膜８をつくり、噴水膜５と空気噴射膜８とによって男性小便の便器や周囲への飛散を防ぎ、便器内へ流し込めるようにした男女兼用便器。
【発明の詳細な説明】
【０００１】
【発明の属する技術分野】
本発明は家庭において最も普及している男女兼用便器を改良した男性小便飛散防止噴水ガード付き男女兼用便器に関するものである。
【０００２】
【従来の技術】
男女兼用便器において、便器や周囲への男性小便の飛散は防げなかった。
【０００３】
【発明が解決しようとする課題】
そこで本発明は、男性小便が便器や周囲へ飛散することなく便器内へ流し込める男女兼用便器を提供することを目的とする。
【０００４】
【課題を解決する為の手段】
上記の目的を達成する為に、本発明の男女兼用便器は、男女兼用便器の楕円形内側縁において短径が最大となる部位（楕円形便器開口部の最大短径位置）を噴水孔の起点３として立姿勢の男性小用者と対向する側の便器内側縁に沿って噴水孔４を設け、この噴水孔４により内側へのわずかな傾斜９と制御された高さを保つ噴水膜５をつくり、噴水孔４のすぐ外周に噴水孔４を取り囲む形で設けた半楕円形の空気噴射孔７を設け、空気噴射孔７から噴出する空気によって床面に垂直で、且つ噴水膜５を取り巻く空気噴射膜８をつくり、噴水膜５と空気噴射膜８とによって男性小便の便器や周囲への飛散を防ぎ、便器内へ流し込めるようにしたものである。
【０００５】
【発明の効果】
男性小便が便器や周囲へ飛散することを防止できる。
【０００６】
【発明の実施の形態】
以下図面に基づいて本発明を詳細に説明する。
【０００７】
図１は本発明による男女兼用便器の斜視図である。
噴水孔起点３を起点とした半楕円形が小便の飛沫を取り込む噴水を噴出させる噴出孔４であり、そのすぐ外縁に噴出孔４を取り囲む形で空気噴射孔７が設けてある。男性小用時に、噴出孔４から噴出する噴水膜５が男性小便の飛沫を取り込み、空気噴射孔７から噴出する空気噴射の膜空気噴射膜８が便器や周囲への飛散を防ぎ、確実に便器内へ流し込めるようになっている。
【０００８】
図２は本発明による男女兼用便器の平面図である。
便器内側縁において噴水孔起点３を起点とした半楕円形の噴水孔４から噴出する噴水膜５は便器内へわずかな傾斜を保つ。噴水孔４のすぐ外周に、噴水孔起点３の立ち位置に対して少し手前の空気噴射孔起点６を起点とした半楕円形の空気噴射孔７が設けてあり、そこから噴出する空気噴射膜８は床面に垂直で、噴水膜５を取り巻き便器や周囲への飛散を防ぐようになっている。
【０００９】
図３は本発明による男女兼用便器の立面図である。
男性小便の飛沫を取り込む噴水膜５、その外周を取り巻く空気噴射膜８が確実に便器の外への飛散を防ぐ。このとき空気噴射膜８の起点、すなわち空気噴射孔起点６が噴水膜５の起点、すなわち噴水孔起点３より立ち位置に対して少し手前に位置することと、噴水膜５がわずかに内側へ傾斜９することで確実に便器内へ流し込める。
【図面の簡単な説明】
【図１】本発明による男性小便飛散防止噴水ガード付き男女兼用便器の全体を示す斜視図である。
【図２】本発明による男性小便飛散防止噴水ガード付き男女兼用便器の平面図である。
【図３】本発明による男性小便飛散防止噴水ガード付き男女兼用便器の立面図である。
【符号の説明】
１  男女兼用便器
２  便座
３  噴水孔起点
４  噴水孔
５  噴水膜
６  空気噴射孔起点
７  空気噴射孔
８  空気噴射膜
９  噴水膜の傾斜
【図１】
0004355802.tif 000002
【図２】
0004355802.tif 000003
【図３】
0004355802.tif 000004